(57)【要約】【課題】待ち受け時間をより長くしつつ、LTEの利点を享受する。【解決手段】本体操作部３００は、キー、スイッチ、またはタッチパネルなど、各種の入力デバイスからなり、ユーザの操作に応じた信号を制御部２００に供給する。判定部２２１は、本体操作部３００からの信号により、ユーザからデータ通信の開始が要求されたか否かを判定する。LTEセルサーチ開始制御部２２２は、ユーザからデータ通信の開始が要求された場合、無線部１００にLTEセルサーチを開始させ、ユーザからデータ通信の開始を要求されていない場合、無線部１００のLTEセルサーチの開始を抑制するように、LTEセルサーチの開始を制御する。本発明は、通信装置に適用できる。【選択図】図２
2012160835.tif 000002
【特許請求の範囲】
【請求項１】
LTE（Long Term Evolution）に準拠した通信によりデータを受信する通信装置において、
ユーザからデータ通信の開始を要求されたか否かを判定する判定手段と、
ユーザからデータ通信の開始を要求された場合、LTEセルサーチを開始させ、ユーザからデータ通信の開始を要求されていない場合、LTEセルサーチの開始を抑制するように、LTEセルサーチの開始を制御する制御手段と
を有することを特徴とする通信装置。
【請求項２】
請求項１に記載の通信装置において、
W-CDMA（Wideband Code Division Multiple Access）に準拠して通信し、
前記制御手段は、W-CDMAセルの報知情報に含まれるLTE周辺セル情報に示されるLTEセルの周波数に限定して、LTEセルサーチを開始させる
ことを特徴とする通信装置。
【請求項３】
請求項２に記載の通信装置において、
検出したLTEセルおよび移動に失敗したLTEセルの周波数を示すEARFCN情報を記憶する記憶手段をさらに有し、
前記制御手段は、前記EARFCN情報を参照して、検出したLTEセルまたは移動に失敗していないLTEセルの周波数に限定して、LTEセルサーチを開始させる
ことを特徴とする通信装置。
【請求項４】
請求項３に記載の通信装置において、
在圏しているW-CDMAセルを移動した場合、前記記憶手段に記憶されている前記EARFCN情報を削除するように、記憶を制御する記憶制御手段をさらに有する
ことを特徴とする通信装置。
【請求項５】
請求項３に記載の通信装置において、
在圏しているW-CDMAセルの受信レベルの変動を参照して、前記記憶手段に記憶されている前記EARFCN情報を削除するように、記憶を制御する記憶制御手段をさらに有する
ことを特徴とする通信装置。
【請求項６】
LTEに準拠した通信によりデータを受信する通信装置の受信方法において、
ユーザからデータ通信の開始を要求されたか否かを判定する判定ステップと、
ユーザからデータ通信の開始を要求された場合、LTEセルサーチを開始させ、ユーザからデータ通信の開始を要求されていない場合、LTEセルサーチの開始を抑制するように、LTEセルサーチの開始を制御する制御ステップと
を含むことを特徴とする受信方法。
【請求項７】
LTEに準拠した通信によりデータを受信する通信装置のコンピュータに、
ユーザからデータ通信の開始を要求されたか否かを判定する判定ステップと、
ユーザからデータ通信の開始を要求された場合、LTEセルサーチを開始させ、ユーザからデータ通信の開始を要求されていない場合、LTEセルサーチの開始を抑制するように、LTEセルサーチの開始を制御する制御ステップと
を含む処理を行わせるプログラム。
【発明の詳細な説明】
【技術分野】
【０００１】
本発明は通信装置および受信方法、並びにプログラムに関する。
【背景技術】
【０００２】
Long Term Evolution（LTE、ロング・ターム・エボリューション）は、標準化団体である3GPP（Third Generation Partnership Project）により仕様が策定された新たな携帯電話の通信規格である。LTEに準拠した通信は、すでに一部の地域で商用サービス開始されており、日本でも２０１０年末からその商用サービスが開始される見込みである。
【０００３】
通信速度、周波数利用効率の向上およびデータ伝送遅延時間の短縮が実現されているLTEシステムでデータ通信を行うことは、ユーザにとっても通信事業者にとってもメリットが大きい。
【０００４】
LTEの規格は、非特許文献１などに記載されている。
【０００５】
従来、EV-DOページング信号を受信するタイミング、もしくは所定の周期が到来した場合に、受信部が基地局EV-DO BS（サービングセル）から受信した信号の受信電力レベルを測定し、このレベルが閾値未満の場合に、端末制御部が、LTE受信信号処理部を起動して、基地局LTE BSを探索して、LTE方式による着信待ち受けを行うようにしたものもある（例えば、特許文献１参照）。
【先行技術文献】
【特許文献】
【０００６】
【特許文献１】特開２０１０−８７８６９号公報
【非特許文献】
【０００７】
【非特許文献１】3GPPTS25.304
【発明の概要】
【発明が解決しようとする課題】
【０００８】
しかしながら、導入されたばかりのLTEシステムは既存のW-CDMA（Wideband Code Division Multiple Access）システムに比べカバー範囲が狭く、仮にW-CDMAセルの報知情報に含まれるLTE周辺セル情報でLTEセルが指定されていたとしてもLTEセルを検出できず、不要なサーチで電流を消費する可能性がある。また、LTEセルを検出できたとしても、該LTEセルに移動できるほど受信レベルが強くない場合、W-CDMAシステムに在圏したままLTEセルの受信レベルを測定し続ける必要があり、待ち受け時間が短くなる要因となっていた。
【０００９】
すなわち、次の２点が課題である。
【００１０】
第１に、非特許文献１の5.2.1章および5.5.2章に規定されている現在の３GPP仕様では、W-CDMA在圏中、W-CDMAセルの報知情報に含まれるLTE周辺セル情報でLTEセルが指定されると、対象LTEセルの存在に関わらずLTEセルサーチを行う必要がある。サーチを行うために消費する電流は、通常の待ち受け状態で消費する電流に比べ大きいため、前記LTEセルサーチを実施することで待ち受け時間が短くなり、無駄なサーチを削減することが課題となっている。
【００１１】
第２に、LTEシステムでのデータ通信は、W-CDMAシステムでのデータ通信と比べて、通信速度、周波数利用効率の向上及びデータ伝送遅延時間が短縮されているという利点があるが、W-CDMA在圏中は、非特許文献１の5.2.6.1.4章に規定されている条件を満たさない限りLTEセルに移動できず、ユーザからデータ通信開始が要求された場合もW-CDMAシステムでデータ通信が行われるため、ユーザがLTEの利点を享受できないことが課題となっている。
【００１２】
そこで、本発明は、上記課題を解決すること、すなわち、待ち受け時間をより長くしつつ、LTEの利点を享受できる通信装置および受信方法、並びにプログラムを提供することを目的とする。
【課題を解決するための手段】
【００１３】
上記課題を解決するために、本発明の通信装置の一側面は、LTE（Long Term
Evolution）に準拠した通信によりデータを受信する通信装置であって、ユーザからデータ通信の開始を要求されたか否かを判定する判定手段と、ユーザからデータ通信の開始を要求された場合、LTEセルサーチを開始させ、ユーザからデータ通信の開始を要求されていない場合、LTEセルサーチの開始を抑制するように、LTEセルサーチの開始を制御する制御手段とを有するものとされている。
【００１４】
また、本発明の通信装置の一側面は、上述の構成に加えて、W-CDMA（Wideband Code
Division Multiple Access）に準拠して通信し、制御手段が、W-CDMAセルの報知情報に含まれるLTE周辺セル情報に示されるLTEセルの周波数に限定して、LTEセルサーチを開始させるものとされている。
【００１５】
さらに、本発明の通信装置の一側面は、上述の構成に加えて、検出したLTEセルおよび移動に失敗したLTEセルの周波数を示すEARFCN情報を記憶する記憶手段をさらに有し、制御手段が、EARFCN情報を参照して、検出したLTEセルまたは移動に失敗していないLTEセルの周波数に限定して、LTEセルサーチを開始させるものとされている。
【００１６】
また、本発明の通信装置の一側面は、上述の構成に加えて、在圏しているW-CDMAセルを移動した場合、記憶手段に記憶されているEARFCN情報を削除するように、記憶を制御する記憶制御手段をさらに有するものとされている。
【００１７】
さらに、本発明の通信装置の一側面は、上述の構成に加えて、在圏しているW-CDMAセルの受信レベルの変動を参照して、記憶手段に記憶されているEARFCN情報を削除するように、記憶を制御する記憶制御手段をさらに有するものとされている。
【００１８】
また、本発明の受信方法の一側面は、LTEに準拠した通信によりデータを受信する通信装置の受信方法であって、ユーザからデータ通信の開始を要求されたか否かを判定する判定ステップと、ユーザからデータ通信の開始を要求された場合、LTEセルサーチを開始させ、ユーザからデータ通信の開始を要求されていない場合、LTEセルサーチの開始を抑制するように、LTEセルサーチの開始を制御する制御ステップとを含むものとされている。
【００１９】
さらに、本発明のプログラムの一側面は、LTEに準拠した通信によりデータを受信する通信装置のコンピュータに、ユーザからデータ通信の開始を要求されたか否かを判定する判定ステップと、ユーザからデータ通信の開始を要求された場合、LTEセルサーチを開始させ、ユーザからデータ通信の開始を要求されていない場合、LTEセルサーチの開始を抑制するように、LTEセルサーチの開始を制御する制御ステップとを含む処理を行わせるものとされている。
【発明の効果】
【００２０】
本発明の一側面によれば、待ち受け時間をより長くしつつ、LTEの利点を享受できる通信装置および受信方法、並びにプログラムを提供することができる。
【図面の簡単な説明】
【００２１】
【図１】通信装置の動作を説明する図である。
【図２】通信装置１０の構成の例を示すブロック図である。
【図３】通信の処理を説明するフローチャートである。
【図４】コンピュータのハードウェアの構成例を示すブロック図である。
【発明を実施するための形態】
【００２２】
以下、本発明の一実施の形態の通信装置について、図１〜図４を参照しながら説明する。
【００２３】
図１は、通信装置の動作を説明する図である。
【００２４】
通信装置１０は、それぞれ、ユーザに持ち運びされて、W-CDMAの規格に準拠し通信するとともに、LTEの規格に準拠して通信する。
【００２５】
例えば、図１のＡに示すように、通信装置１０は、W-CDMAセルとLTEセルとに在圏している場合、キーやパネルなどが操作されることにより、ユーザからデータ通信の開始が要求されると、LTE周辺セル情報にLTEセルが存在するとき、LTEセルサーチを開始する。通信装置１０−１は、LTEセルの検出および移動に成功した場合、LTEの規格に準拠してデータ通信する。
【００２６】
例えば、図１のＢに示すように、通信装置１０は、W-CDMAセルとLTEセルとに在圏している場合、LTE周辺セル情報にLTEセルが存在していても、それだけでは、LTEセルサーチを開始しない。
【００２７】
例えば、図１のＣに示すように、通信装置１０は、キーやパネルなどが操作されることにより、ユーザからデータ通信の開始が要求されると、LTE周辺セル情報にLTEセルが存在しない場合、LTEセルサーチを開始せず、W-CDMAの規格に準拠しデータ通信する。すなわち、通信装置１０は、W-CDMAセルに在圏し、LTEセルに在圏していない場合、ユーザからデータ通信の開始が要求されると、LTEセルサーチを開始せず、W-CDMAの規格に準拠しデータ通信する。
【００２８】
図２は、通信装置１０の構成の例を示すブロック図である。通信装置１０は、無線部１００、制御部２００、本体操作部３００、および本体記憶部４００を含むように構成される。無線部１００は、制御部２００による制御の基に、図示せぬ基地局と、W-CDMAの規格に準拠し通信し、また、LTEの規格に準拠して通信する。制御部２００は、本体操作部３００からの信号、または本体記憶部４００に記憶されている各種の情報に応じて、無線部１００を制御する。
【００２９】
本体操作部３００は、キー、スイッチ、またはタッチパネルなど、各種の入力デバイスからなり、ユーザの操作に応じた信号を制御部２００に供給する。本体記憶部４００は、揮発性または不揮発性のメモリなどからなり、制御部２００の制御に応じて、各種の情報を記憶するとともに、記憶している情報を制御部２００に供給する。
【００３０】
制御部２００は、判定部２２１、LTEセルサーチ開始制御部２２２、およびEARFCN情報記憶制御部２２３を含む。判定部２２１は、ユーザからデータ通信の開始が要求されたか否かなど、各種の判定を行う。LTEセルサーチ開始制御部２２２は、ユーザからデータ通信の開始を要求された場合、無線部１００にLTEセルサーチを開始させ、ユーザからデータ通信の開始を要求されていない場合、無線部１００のLTEセルサーチの開始を抑制するように、LTEセルサーチの開始を制御する。EARFCN情報記憶制御部２２３は、検出したLTEセルおよび移動に失敗したLTEセルの周波数（以下、EARFCNと称する（3GPP TS36.101 5.7.3章に記載されている））を示すEARFCN情報４２１を本体記憶部４００に記憶させたり、EARFCN情報４２１を本体記憶部４００から消去させたり（削除させたり）するなど、本体記憶部４００のEARFCN情報４２１の記憶を制御する。
【００３１】
次に、通信装置１０がW-CDMAセルに在圏している状態から通信装置１０がW-CDMAセルとLTEセルとに在圏する状態に移行した場合における、通信の処理について図３のフローチャートを参照して説明する。
【００３２】
ステップＳ１１において、通信装置１０がW-CDMAに在圏中、制御部２００は、受信したW-CDMAセルの報知情報に含まれるLTE周辺セル情報でLTEセルが指定されてもサーチは行わない。EARFCN情報記憶制御部２２３は、LTE周辺セル情報に含まれているLTEセルの周波数をEARFCN情報４２１として記憶部４００に記憶させる。EARFCN情報記憶制御部２２３は、記憶部４００に記憶されているLTE周辺セル情報（LTEセルのEARFCN）（EARFCN情報４２１を含む）を、在圏するW-CDMAセルが変わる度に削除し、新しいW-CDMAセル上で受信した報知情報に含まれるLTE周辺セル情報（LTEセルのEARFCN）（EARFCN情報４２１を含む）に更新する。
【００３３】
ステップＳ１２において、制御部２００は、本体操作部３００から送信されてくる、ユーザの操作に応じた信号を受信し、判定部２２１は、受信した信号により、ユーザからデータ通信開始が要求されたか否かを判定する。ステップＳ１２において、ユーザからデータ通信開始が要求されたと判定された場合、手続きはステップＳ１３に進み、制御部２００は、記憶部４００にLTE周辺セル情報（EARFCN情報４２１を含む）が記憶されているか否かを判定する。ステップＳ１３において、記憶部４００にLTE周辺セル情報が記憶されていると判定された場合、手続きはステップＳ１４に進み、制御部２００の判定部２２１は、該LTE周辺セル情報に含まれるLTEセルのEARFCNと、記憶部４００のForbidden Listとを比較し、記憶部４００のForbidden Listに含まれていないLTEセルのEARFCNがLTE周辺セル情報に存在するかを判定する。
【００３４】
ステップＳ１４において、Forbidden Listに含まれていないLTEセルのEARFCNがLTE周辺セル情報に存在すると判定された場合、手続きは、ステップＳ１５に進み、LTEセルサーチ開始制御部２２２は、無線部１００にLTEセルサーチを開始させる。その際、記憶部４００のForbidden Listに含まれないLTEセルのEARFCNに限定してセルサーチを行う。
【００３５】
ステップＳ１６において、判定部２２１は、無線部１００で受信した信号から、LTEセルが検出できたか否かを判定する。ステップＳ１６において、LTEセルが検出できたと判定された場合、手続きはステップＳ１７に進み、制御部２００は、検出したLTEセルに移動を開始する。
【００３６】
ステップＳ１８において、判定部２２１は、LTEセルに移動できたか否かを判定する。ステップＳ１８において、LTEセルに移動できたと判定された場合、手続きはステップＳ１９に進み、制御部２００は、無線部１００にLTEセル上でデータ通信を開始させ、処理は終了する。
【００３７】
なお、ステップＳ１８において、例えば、次の場合は、LTEセルへの移動に失敗したとみなす。第１に、3GPP TS36.304 5.2.3.2章に規定されているように、LTEセルのSrxlev値が0以下の場合、LTEセルへの移動に失敗したとみなす。第２に、3GPP TS36.304 5.3.1章に規定されているように、LTEセルがBarred Cellである場合、LTEセルへの移動に失敗したとみなす。
【００３８】
ステップＳ１８において、検出したLTEセルへの移動に失敗した場合、手続きはステップＳ２０に進み、EARFCN情報記憶制御部２２３は、移動に失敗したLTEセルのERFCNをForbidden Listに保存する。Forbidden List情報は記憶部４００に記憶される。ステップＳ２１において、制御部２００は、W-CDMAにとどまりW-CDMA在圏セル上で無線部１００にデータ通信を開始させ、処理は終了する。
【００３９】
ステップＳ１６において、LTEセルが検出できなかったと判定された場合、手続きはステップＳ２０に進み、EARFCN情報記憶制御部２２３は、検出に失敗したLTEセルのERFCNをForbidden Listに保存する。Forbidden List情報は記憶部４００に記憶される。ステップＳ２１において、制御部２００は、W-CDMAにとどまりW-CDMA在圏セル上で無線部１００にデータ通信を開始させ、処理は終了する。
【００４０】
ステップＳ１４において、Forbidden Listに含まれていないLTEセルのEARFCNがLTE周辺セル情報に存在しないと判定された場合、すなわち、記憶部４００のLTE周辺セル情報に含まれるLTEセルのEARFCNが、すべて記憶部４００のForbidden Listに含まれている場合、手続きはステップＳ２１に進み、制御部２００は、W-CDMAにとどまりW-CDMA在圏セル上で無線部１００にデータ通信を開始させ、処理は終了する。
【００４１】
ステップＳ１３において、記憶部４００にLTE周辺セル情報が記憶されていないと判定された場合、手続きはステップＳ２１に進み、制御部２００は、W-CDMAにとどまりW-CDMA在圏セル上で無線部１００にデータ通信を開始させ、処理は終了する。
【００４２】
ステップＳ１２において、ユーザからデータ通信開始が要求されていないと判定された場合、処理は終了する。
【００４３】
なお、在圏しているW-CDMAセルを移動した場合、制御部２００のEARFCN情報記憶制御部２２３は、記憶部４００のForbidden List情報を削除する。
【００４４】
また、LTE及びW-CDMAの携帯電話システムにおける手順を説明したが、特にLTEやW-CDMAに限定されるものではない。
【００４５】
なお、ステップＳ１８において、3GPP TS36.304 5.2.3.2章に規定されているように、LTEセルのSrxlev値が0以下の場合、または、3GPP
TS36.304 5.3.1章に規定されているように、LTEセルがBarred Cellである場合、LTEセルへの移動に失敗したとみなすと説明したが、事象の発生回数は１回に限定する必要はなく、複数回（例えば、３回連続で）発生した場合に移動失敗とみなし、該LTEセルのEARFCNをForbidden Listに記憶するようにしても良い
【００４６】
さらに、ユーザが利用するサービスによっては、LTEセルサーチを実施しないようにしてもよい。例えば、メール送信のように小さなデータを通信する場合、LTEでの高速通信のメリットは少なく、逆に、LTEセルサーチでユーザを待たせることになるため、LTEセルサーチは行わずW-CDMAシステムにてデータ通信を行うようにしてもよい。一方、Webブラウザや端末に接続したPCからデータ通信を行う場合は、LTEセルサーチを行うようにしてもよい。
【００４７】
また、Forbidden Listを削除する条件は、下記のようなものでも良い。例えば、在圏するW-CDMAセルの受信レベル（RSCP（3GPP TS36.214 5.1.4章に規定されている））が一定値（例えば、５dB）以上変化した場合、場所が移動したと判断しForbidden Listを削除するようにしてもよい。
【００４８】
さらに、例えば、ステップＳ１８の手続きでLTEセルに移動失敗した場合、タイマのカウントを開始し、一定時間以上経過したとき、場所が移動した可能性があると判定して、Forbidden Listを削除するようにしてもよい。
【００４９】
さらにまた、図３のフローチャートに示される手続きで、現在音声通信はW-CDMAシステムで行う前提で、データ通信発信時のみLTEセルサーチを行うとしているが、将来LTEシステムでも音声通信ができるようになった場合、音声発信をトリガにLTEセルサーチを行ってもよい。
【００５０】
このように、例えば、図１のＡに示されるように、3.9G（Long Term Evolution）と3G（Wideband Code Division Multiple Access）など複数の無線通信技術が搭載されている携帯電話システムにおいて、ユーザからのデータ通信開始要求をトリガにLTEセルサーチを開始し、LTEセルが検出された場合、検出したLTEセル上でデータ通信を行う。その際、図１のＣに示されるように、W-CDMAセルの報知情報に含まれるLTE周辺セル情報（3GPP TS25.331 10.2.48.8.22章に規定されているSystem Information Block type 19）を使用し、不要なLTEセルサーチを削減している。またLTEセルの検出に失敗したこと、または、LTEセルへの移動に失敗した情報を元に、無駄なサーチが削減される。
【００５１】
すなわち、W-CDMA在圏中は、W-CDMAセルの報知情報に含まれるLTE周辺セル情報でLTEセルが指定されてもLTEセルのサーチは行われない。ユーザからのデータ通信開始要求時にLTEセルのサーチを開始し、LTEセルが検出された場合、検出したLTEセルに移動し、LTEシステムでデータ通信が行われる。
【００５２】
なおLTEセルの無駄なサーチを削減するため、LTE周辺セル情報にLTEセルが含まれている場合のみLTEセルのサーチが実施される。サーチ対象のLTEセルのEARFCNは、W-CDMAセルの報知情報に含まれるLTE周辺セル情報に含まれるLTEセルのEARFCNに限定する。また前回LTEセルの検出または移動に失敗した場合（3GPP TS36.304 5.2.3.2章に規定されているように、LTEセルのSrxlev値が0以下の場合、または、3GPP TS36.304 5.3.1章に規定されているように、LTEセルがBarred Cellである場合、）、該LTEセルのEARFCNをForbidden Listとして端末内部で保持し、W-CDMAセルの報知情報に含まれるLTE周辺セル情報に含まれるLTEセルのEARFCNがすべてForbidden Listに含まれていた場合は、LTEセルのサーチは行わない。
【００５３】
このように、W-CDMA在圏中、周辺セル情報でLTEセルが指定されてもLTEサーチを行わないようにし、ユーザからのデータ通信開始要求をトリガにLTEセルサーチを開始し、LTEセルが検出された場合、LTEセルに移動し、LTEシステムでのデータ通信を実現する。周辺セル情報を使用し、不要なLTEセルサーチを削減する。
【００５４】
以上のように、ユーザからのデータ通信開始要求があった場合のみLTEセルサーチを行うため、従来の条件（W-CDMAセルの報知情報に含まれるLTE周辺セル情報でLTEセルが指定されると、対象LTEセルの存在に関わらずLTEサーチを行う）に比べ、不要なサーチを削減でき、その結果消費電流を軽減できる。
【００５５】
また、ユーザからのデータ通信開始要求があった場合のLTEセルサーチには、W-CDMAセルの報知情報に含まれるLTE周辺セル情報にLTEセルが含まれるときのみサーチを行うため、ユーザからのデータ通信開始要求をトリガに無条件にサーチを行う方法に比べ、不要なサーチを軽減でき、その結果消費電流を軽減できる。
【００５６】
さらに、ユーザからのデータ通信開始要求があった場合のLTEセルサーチには、W-CDMAセルの報知情報に含まれるLTE周辺セル情報に含まれる（LTEセルが検出できる可能性のある）EARFCNのみに限定してサーチを行うため、不要な周波数のサーチを削減でき、その結果消費電流を軽減できる。
【００５７】
さらにまた、LTEセルの検出または移動に失敗した場合、セル情報をForbidden Listとして通信装置１０内部で保持し、次回のLTEセルサーチ時はForbidden Listに含まれるLTEセルのEARFCNはサーチ対象外とするため、不要なサーチを削減でき、その結果消費電流を軽減できる。
【００５８】
また、データ通信開始時に（W-CDMAセルの報知情報に含まれるLTE周辺セル情報のLTEセル有無に関わらず）必ずLTEセルをサーチする方法では、ユーザがデータ通信開始を要求する毎に、LTEセルサーチの時間だけユーザを待たせることになる。通信装置１０においては、これまで説明した理由により無駄なLTEセルサーチが削減できるため、不要にユーザを待たせることがない。
【００５９】
以上のように、待ち受け時間をより長くしつつ、LTEの利点を享受できる。
【００６０】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００６１】
図４は、上述した一連の処理をプログラムにより実行するコンピュータのハードウェアの構成例を示すブロック図である。
【００６２】
コンピュータにおいて、CPU（Central Processing Unit）５０１，ROM（Read Only Memory）５０２，RAM（Random Access Memory）５０３は、バス５０４により相互に接続されている。
【００６３】
バス５０４には、さらに、入出力インタフェース５０５が接続されている。入出力インタフェース５０５には、キーボード、マウス、マイクロホンなどよりなる入力部５０６、ディスプレイ、スピーカなどよりなる出力部５０７、ハードディスクや不揮発性のメモリなどよりなる記憶部５０８、ネットワークインタフェースなどよりなる通信部５０９、磁気ディスク、光ディスク、光磁気ディスク、或いは半導体メモリなどのリムーバブルメディア５１１を駆動するドライブ５１０が接続されている。
【００６４】
以上のように構成されるコンピュータでは、CPU５０１が、例えば、記憶部５０８に記憶されているプログラムを、入出力インタフェース５０５及びバス５０４を介して、RAM５０３にロードして実行することにより、上述した一連の処理が行われる。
【００６５】
コンピュータ（CPU５０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア５１１に記録して、あるいは、ローカルエリアネットワーク、インターネット、デジタル衛星放送といった、有線または無線の伝送媒体を介して提供される。
【００６６】
そして、プログラムは、リムーバブルメディア５１１をドライブ５１０に装着することにより、入出力インタフェース５０５を介して、記憶部５０８に記憶することで、コンピュータにインストールすることができる。また、プログラムは、有線または無線の伝送媒体を介して、通信部５０９で受信し、記憶部５０８に記憶することで、コンピュータにインストールすることができる。その他、プログラムは、ROM５０２や記憶部５０８にあらかじめ記憶しておくことで、コンピュータにあらかじめインストールしておくことができる。
【００６７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００６８】
また、本発明の実施の形態は、上述した実施の形態に限定されるものではなく、本発明の要旨を逸脱しない範囲において種々の変更が可能である。
【符号の説明】
【００６９】
１０…通信装置、１００…無線部、２００…制御部、３００…本体操作部、４００…本体記憶部、２２１…判定部、２２２…LTEセルサーチ開始制御部、２２３…EARFCN情報記憶制御部、４２１…EARFCN情報、５０１…CPU、５０２…ROM、５０３…RAM、５０８…記憶部、５０９…通信部、５１１…リムーバブルメディア
【図１】
2012160835.tif 000003
【図２】
2012160835.tif 000004
【図３】
2012160835.tif 000005
【図４】
2012160835.tif 000006